(57)【要約】【課題】足元暖房を簡単に行うことが可能な足元暖房機能付加式の厨房設備を提供する。【解決手段】厨房箇所に設置される厨房用設置体Ｏの蹴込み内方側に、蹴込みの外部に温風を送風する足元暖房機Ｗが設置される足元暖房機能付加式の厨房用設備であって、足元暖房機Ｗを組み付け自在な暖房機支持枠部Ｆが、厨房用設置体Ｏのフレーム２と一体的に形成される状態で設けられ、蹴込みに相当する箇所に設置される蹴込み扉３が、足元暖房機Ｗを組み付けのために挿通できるように開閉自在に設けられ、その蹴込み扉３に、閉じ状態において、足元暖房機Ｗの温風送風口１３と連通する温風送風用開口３ｏが形成されている。【選択図】        図２
2004218980.tif 000002
【特許請求の範囲】
【請求項１】
厨房箇所に設置される厨房用設置体の蹴込み内方側に、蹴込みの外部に温風を送風する足元暖房機が設置される足元暖房機能付加式の厨房用設備であって、
前記足元暖房機を組み付け自在な暖房機支持枠部が、前記厨房用設置体のフレームと一体的に形成される状態で設けられ、
前記蹴込みに相当する箇所に設置される蹴込み扉が、前記足元暖房機を組み付けのために挿通できるように開閉自在に設けられ、
その蹴込み扉に、閉じ状態において、前記足元暖房機の温風送風口と連通する温風送風用開口が形成されている足元暖房機能付加式の厨房用設備。
【請求項２】
厨房箇所に設置される厨房用設置体の蹴込み内方側に、蹴込みの外部に温風を送風する足元暖房機が設置される足元暖房機能付加式の厨房用設備であって、
前記厨房用設置体に装備した厨房機器の厨房用運転制御手段に対して前記足元暖房機の暖房用運転制御手段が情報通信可能な状態に接続自在に構成され、
前記厨房用運転制御手段に対して前記足元暖房機の運転開始及び停止を指令する暖房機用指令手段が、前記厨房機器の厨房機器用操作部に設けられ、
前記厨房用運転制御手段が、前記暖房機用指令手段の指令に基づいて、前記暖房用運転制御手段に対して運転開始及び停止を指令するように構成されている足元暖房機能付加式の厨房用設備。
【請求項３】
前記足元暖房機が運転状態か停止状態かを表示する暖房機用運転状態表示手段が、前記厨房機器用操作部に設けられている請求項２記載の足元暖房機能付加式の厨房用設備。
【請求項４】
厨房箇所に設置される厨房用設置体の蹴込み内方側に、蹴込みの外部に温風を送風する足元暖房機が設置される足元暖房機能付加式の厨房用設備であって、
前記厨房用設置体に装備した厨房機器を運転するために外部電源より供給される電力を分電して、前記足元暖房機を運転する電力として供給する分電手段が設けられている足元暖房機能付加式の厨房用設備。
【請求項５】
前記厨房機器の運転状態においては前記足元暖房機の運転を自動停止する自動停止手段が設けられている請求項４記載の足元暖房機能付加式の厨房用設備。
【請求項６】
前記厨房機器の消費電力の増加により電力が不足する電力不足状態になると前記足元暖房機の運転を自動停止する自動停止手段が設けられている請求項４記載の足元暖房機能付加式の厨房用設備。
【発明の詳細な説明】
【０００１】
【発明の属する技術分野】
本発明は、厨房箇所に設置される厨房用設置体の蹴込み内方側に、蹴込みの外部に温風を送風する足元暖房機が設置される足元暖房機能付加式の厨房用設備に関する。
【０００２】
【従来の技術】
かかる足元暖房機能付加式の厨房用設備は、厨房箇所に設置されるシステムキッチン等の厨房用設置体の蹴込み内方側に、蹴込みの外部に温風を送風する足元暖房機を設置するように構成して、厨房箇所にいる人の足元に温風を送風して、足元暖房を行えるようにしたものである。
このような足元暖房付加式の厨房用設備において、従来、足元暖房機を設置する構成としては、厨房用設置体における蹴込みに相当する箇所に固定して設けられた板（以下、蹴込み板と称する）に、足元暖房機を挿通するための切り欠き又は開口部を形成し、足元暖房機をその切り欠き又は開口部に挿通して、温風送風口が開口された足元暖房機の前面パネルの全体が蹴込みにおいて露呈する状態で、厨房用設置体内部の床面に設置する構成となっていた。
又、足元暖房機の運転開始及び停止を指令する暖房機用指令手段は、前記前面パネルに設けていた（例えば、特許文献１参照。）。
上記の従来の足元暖房機能付加式の厨房用設備には、足元暖房機に運転用の電力を供給するための構成について具体的に記載されていないが、商用電源から直接足元暖房機に電力を供給する構成であると考えられる。
【０００３】
【特許文献１】
特開２００１−２１２２１号公報
【０００４】
【発明が解決しようとする課題】
従来の足元暖房付加式の厨房設備では、下記のように足元暖房を行い難いという問題があった。
即ち、上述のような足元暖房機の設置構成では、足元暖房機を挿通するための切り欠き又は開口部を、温風送風口が所望の位置に位置するように位置決めして、厨房用設置体の蹴込み板に形成する必要があることから、足元暖房機の設置構成が複雑なものとなり、そのため足元暖房を行い難いという問題があった。
又、暖房機用指令手段が足元暖房機の前面パネルに設けられているので、暖房機用指令手段を人がつま先で操作することが可能なフットスイッチにて構成したとしても、蹴込みに位置しているフットスイッチが見え難くて操作がし難く、特に、厨房箇所では人はスリッパを履いているのが通常であり、スリッパを履いた状態では一層フットスイッチの操作が行い難いため、足元暖房の開始及び停止の操作が行い難いものとなり、そのために足元暖房を行い難いという問題があった。
更に、上述のように、足元暖房機の運転用の電力は外部電源から直接供給する構成であることから、下記のように足元暖房機に運転用の電力を供給するための構成が複雑となり、足元暖房を行い難いという問題があった。
即ち、商用電源から電力を供給するためのコンセントとして、既設のものが無い場合は、コンセントを増設する必要があり、足元暖房機に運転用の電力を供給するための構成が複雑になっていた。
又、既設のコンセントがある場合でも、通常、コンセントは床面や壁面に設けられているので、厨房用設置体の内部に設置されている足元暖房機の電源コードを厨房用設置体の外部に引き出して、床面や壁面に設けられているコンセントに接続する必要があり、足元暖房機に運転用の電力を供給するための構成が複雑になっていた。
【０００５】
本発明は、かかる実情に鑑みてなされたものであり、その目的は、足元暖房を簡単に行うことが可能な足元暖房機能付加式の厨房設備を提供することにある。
【０００６】
【課題を解決するための手段】
〔請求項１記載の発明〕
請求項１に記載の足元暖房機能付加式の厨房用設備は、厨房箇所に設置される厨房用設置体の蹴込み内方側に、蹴込みの外部に温風を送風する足元暖房機が設置されるものであって、
前記足元暖房機を組み付け自在な暖房機支持枠部が、前記厨房用設置体のフレームと一体的に形成される状態で設けられ、
前記蹴込みに相当する箇所に設置される蹴込み扉が、前記足元暖房機を組み付けのために挿通できるように開閉自在に設けられ、
その蹴込み扉に、閉じ状態において、前記足元暖房機の温風送風口と連通する温風送風用開口が形成されている点を特徴構成とする。
即ち、厨房用設置体の蹴込みに相当する箇所に設置されている蹴込み扉を開き、その開かれた部分を通じて足元暖房機を厨房設置体内に挿通して、厨房用設置体のフレームと一体的に形成される状態で設けられている暖房機支持枠部に組み付け、続いて、蹴込み扉を閉じると、足元暖房機の温風送風口が、蹴込み扉に形成されている温風送風用開口に連通する状態となる。
つまり、足元暖房機を挿通するための挿通部を厨房用設置体の蹴込み板に形成するといった如き従来の煩雑な作業を必要とすることなく、単に、蹴込み扉を開いて、足元暖房機を厨房設置体内に挿通して暖房機支持枠部に組み付けた後、蹴込み扉を閉じるといった簡単な作業で、足元暖房機を設置することが可能となり、足元暖房機の設置構成を簡略化することができる。
従って、足元暖房機を簡単に設置することができて足元暖房を簡単に行うことが可能な足元暖房機能付加式の厨房設備を提供することができるようになった。
【０００７】
〔請求項２記載の発明〕
請求項２に記載の足元暖房機能付加式の厨房用設備は、厨房箇所に設置される厨房用設置体の蹴込み内方側に、蹴込みの外部に温風を送風する足元暖房機が設置されるものであって、
前記厨房用設置体に装備した厨房機器の厨房用運転制御手段に対して前記足元暖房機の暖房用運転制御手段が情報通信可能な状態に接続自在に構成され、
前記厨房用運転制御手段に対して前記足元暖房機の運転開始及び停止を指令する暖房機用指令手段が、前記厨房機器の厨房機器用操作部に設けられ、
前記厨房用運転制御手段が、前記暖房機用指令手段の指令に基づいて、前記暖房用運転制御手段に対して運転開始及び停止を指令するように構成されている点を特徴構成とする。
即ち、厨房機器の厨房機器用操作部に設けられている暖房機用指令手段を操作して、足元暖房機の運転開始や停止を指令すると、その暖房機用指令手段からの指令に基づいて、厨房機器の厨房用運転制御手段は、足元暖房機の暖房用運転制御手段に対して足元暖房機の運転開始や停止を指令し、その厨房用運転制御手段からの指令に基づいて、暖房用運転制御手段は、足元暖房機の運転を開始したり停止したりする。
つまり、厨房用設置体に装備する厨房機器としては、例えばオーブン、コンロ等があり、そのような厨房機器の厨房機器用操作部は、厨房機器が厨房用設置体に装備された状態では、厨房用設置体の上部側部分に相当する箇所等、厨房箇所にいる人が操作し易い位置に位置するものである。そして、そのように操作し易い位置に位置する厨房機器用操作部に設けられている暖房機用指令手段を操作することにより、足元暖房機の運転を開始させたり停止させたりすることができるので、足元暖房の開始及び停止の操作を行い易いようにすることができるようになった。
従って、足元暖房の開始及び停止の操作が行い易くて足元暖房を簡単に行うことが可能な足元暖房機能付加式の厨房設備を提供することができるようになった。
【０００８】
〔請求項３記載の発明〕
請求項３に記載の足元暖房機能付加式の厨房用設備は、請求項２において、前記足元暖房機が運転状態か停止状態かを表示する暖房機用運転状態表示手段が、前記厨房機器用操作部に設けられている点を特徴構成とする。
即ち、厨房機器用操作部に設けられた暖房機用運転状態表示手段により、足元暖房機が運転状態か停止状態かが表示される。
つまり、作業者が操作し易い位置、換言すれば、厨房箇所にいる人が見易い位置に位置する厨房機器用操作部に、足元暖房機が運転状態か停止状態かを表示する暖房機用運転状態表示手段を設けることにより、足元暖房機が運転状態か停止状態かの確認をし易いようにすることができるようになった。
従って、足元暖房機が運転状態か停止状態かの確認をし易いようにして、足元暖房機の使い勝手性を向上することができるようになった。
【０００９】
〔請求項４記載の発明〕
請求項４に記載の足元暖房機能付加式の厨房用設備は、厨房箇所に設置される厨房用設置体の蹴込み内方側に、蹴込みの外部に温風を送風する足元暖房機が設置されるものであって、
前記厨房用設置体に装備した厨房機器を運転するために外部電源より供給される電力を分電して、前記足元暖房機を運転する電力として供給する分電手段が設けられている点を特徴構成とする。
即ち、厨房用設置体に装備した厨房機器を運転するために外部電源より供給される電力が、分電手段により分電されて、足元暖房機を運転する電力として供給される。
厨房用設置体に装備する厨房機器としては、例えばオーブン、コンロ、クッキングヒータ等があり、そのような厨房機器に、その厨房機器の運転用として外部電源より供給される電力を分電して足元暖房機の運転用の電力として供給する分電手段が設けられているので、足元暖房機の運転用電力の供給用として、新たに外部電源からの電力を供給するコンセント等を増設する必要がない。
又、厨房用設置体内における足元暖房機の設置箇所の隣接する箇所や、厨房用設置体内における足元暖房機の設置箇所の上方に相当する箇所に装備する厨房機器に、前記分電手段を設けるようにすると、その分電手段に対して足元暖房機の電源コードを簡単に接続することができるようにすることが可能となる。
従って、外部電源から電力を供給するコンセント等を増設する必要がなく、又、分電手段に対して足元暖房機の電源コードを簡単に接続することができるようにすることが可能となるので、足元暖房機に運転用の電力を供給するための構成を簡略化することができるようになった。
要するに、足元暖房機に運転用の電力を供給するための構成が簡略で足元暖房を簡単に行うことが可能な足元暖房機能付加式の厨房設備を提供することができるようになった。
【００１０】
〔請求項５記載の発明〕
請求項５に記載の足元暖房機能付加式の厨房用設備は、請求項４において、厨房機器の運転状態においては前記足元暖房機の運転を自動停止する自動停止手段が設けられている点を特徴構成とする。
即ち、厨房機器の運転状態においては、自動停止手段により、足元暖房機の運転が自動停止される。
つまり、足元暖房機を運転する電力として、厨房機器を運転するために外部電源より供給される電力を分電して供給するようにすることにより、同一のブレーカを通じて、厨房機器と足元暖房機に電力を供給することになるが、そのような足元暖房機運転用の電力の分電用の厨房機器として、電気ヒータを備えたオーブン、又は、電気ヒータや誘導加熱式ヒータ（所謂ＩＨヒータ）等を備えたクッキングヒータを対象にする場合、厨房機器と足元暖房機の両方を運転すると一つのブレーカの電気容量を越える場合がある。
そこで、厨房機器が運転されているときは、足元暖房機の運転が自動停止されるようにすることにより、炊事等の本来の厨房作業に支障が出ないようにすることが可能となる。
従って、足元暖房機に運転用の電力を供給するための構成を簡略化しながらも、本来の厨房作業に支障が出ないようにすることができるようになった。
【００１１】
〔請求項６記載の発明〕
請求項６に記載の足元暖房機能付加式の厨房用設備は、請求項４において、前記厨房機器の消費電力の増加により電力が不足する電力不足状態になると前記足元暖房機の運転を自動停止する自動停止手段が設けられている点を特徴構成とする。
即ち、厨房機器の消費電力の増加により電力が不足する電力不足状態になると、自動停止手段により、足元暖房機の運転が自動停止される。
つまり、足元暖房機を運転する電力として、厨房機器を運転するために外部電源より供給される電力を分電して供給するようにすることにより、同一のブレーカを通じて、厨房機器と足元暖房機に電力を供給することになるが、そのような足元暖房機運転用の電力の分電用の厨房機器として、電気ヒータを備えたオーブン、又は、複数の電気ヒータや誘導加熱式ヒータを備えたクッキングヒータを対象にする場合は、厨房機器の消費電力が増加すると、厨房機器と足元暖房機の両方を運転する状態では、一つのブレーカの電気容量を越える場合がある。
ちなみに、電気ヒータを備えたオーブンでは、加熱力を増加させると消費電力が増加することになり、複数の電気ヒータや誘導加熱式ヒータを備えたクッキングヒータでは、各電気ヒータや誘導加熱式ヒータによる加熱量を増加させたり、加熱作動させる電気ヒータや誘導加熱式ヒータの数を増加させたりすると、消費電力の増加が増加することになる。
そこで、厨房機器の消費電力の増加により電力が不足する電力不足状態になると、足元暖房機の運転が自動停止されるようにすることにより、炊事等の本来の厨房作業に支障が出ないようにすることが可能となる。
従って、足元暖房機に運転用の電力を供給するための構成を簡略化しながらも、本来に厨房作業に支障が出ないようにすることができるようになった。
【００１２】
【発明の実施の形態】
〔第１実施形態〕
以下、図面に基づいて、本発明の第１実施形態を説明する。
図１に示すように、足元暖房機能付加式の厨房設備は、厨房箇所に設置される厨房用設置体としてのシステムキッチンＫのカウンタＫｔの下方に同じく厨房用設置体としてのビルトインオーブンＯを設置し、カウンタＫｔに形成されたコンロ装着口を通して厨房機器としてのビルトイン型のガスコンロＣを上方側から差し込んでビルトインオーブンＯの上方に装備し、更に、ビルトインオーブンＯの蹴込み内方側に、蹴込みＫｋの外部に温風を送風する足元暖房機Ｗを設置して構成してある。
尚、ビルトインオーブンＯの蹴込みＫｋ、及び、システムキッチンＫのオーブン設置箇所以外の箇所の蹴込みＫｋは、横方向に一連に連なるように構成してある。
【００１３】
ビルトインオーブンＯについて説明を加える。
図１ないし図３に示すように、ビルトインオーブンＯは、被加熱物を加熱するガスバーナ（図示省略）を備えたオーブン本体部１と、そのオーブン本体部１を支持するフレーム２と、蹴込みＫｋに相当する箇所に設置される蹴込み扉３と、オーブン本体部１の運転を制御するオーブン運転制御部４と、そのオーブン運転制御部４に各種の制御情報を指令するオーブン操作盤５とを主な構成要素として備えて構成してある。つまり、オーブン本体部１は、厨房用設置体としてのビルトインオーブンＯに装備した厨房機器に相当し、オーブン運転制御部４は、厨房用運転制御手段に相当し、オーブン操作盤５は、厨房機器用操作部に相当する。
【００１４】
図２に示すように、フレーム２には、長手方向が左右方向に向く左右向き支持部２ａを前後方向に２本並べて備えてあり、２本の前後向き支持部６を、夫々、前後２本の左右向き支持部２ａに架け渡す状態で、左右方向に前記足元暖房機Ｗの左右方向の幅よりもやや広くなるように間隔を開けて設けてあり、それら２本の左右向き支持部２ａと２本の前後向き支持部６にて、足元暖房機Ｗを載置状態で組み付け自在な暖房機支持枠部Ｆを構成してある。つまり、暖房機支持枠部Ｆを、厨房用設置体としてのビルトインオーブンＯのフレーム２と一体的に形成する状態で設けてある。
【００１５】
図２及び図４に示すように、蹴込み扉３は、足元暖房機Ｗを組み付けのために挿通できるように開閉自在に設けてあり、その蹴込み扉３に、閉じ状態において、足元暖房機Ｗの温風送風口１３と連通する温風送風用開口３ｏを形成してあり、更に、その温風送風用開口３ｏを閉じる閉じ板３ｔを２本のビス３ｂにて着脱自在なようにしてある。
蹴込み扉３を開閉自在に設ける構成について説明を加えると、図４に示すように、フレーム２の下端の左右両端部夫々には、蹴込み扉３の下端部の左右両側夫々に備えた係合ピン３ｐを挿脱自在な状態で係合させるフック部２ｆを設けてあり、左右の係合ピン３ｐを左右のフック部２ｆに落とし込んで係合させることにより、蹴込み扉３を左右の係合ピン３ｐを結ぶ左右軸心周りに揺動自在な状態で、フレーム２に支持させることが可能なように構成してある。
更に、蹴込み扉３の上端部には、蹴込み扉３を上方に揺動させて閉じ状態にしたときに、フレームの左右両端部夫々に設けた受け部２ｕに引っ掛けて閉じ状態に保持するために、曲がり部５ｍを設けてある。
【００１６】
図２及び図５に示すように、オーブン操作盤５には、前記ガスバーナの燃焼を開始する運転開始と前記ガスバーナを消火させる運転停止とを指令するオーブン運転スイッチ５ａ、運転状態か停止状態かを表示するオーブン運転ランプ５ｂ、調理時間を設定する調理時間設定スイッチ５ｃ、調理温度を設定する調理温度設定スイッチ５ｄ、及び、各種情報を表示する表示部５ｅを設けてあり、更に、オーブン操作盤５には、前記足元暖房機Ｗの運転開始及び停止をオーブン運転制御部４に指令する暖房機用指令手段としての暖房機用外部運転スイッチ７、及び、足元暖房機Ｗが運転状態か停止状態かを表示する暖房機用運転状態表示手段としての暖房機用外部運転ランプ８を設けてある。
【００１７】
更に、図３に示すように、ビルトインオーブンＯには、商用電源からの電力を給電する給電用コンセントＳに接続して、運転用の電力を受電する電源コード９、及び、オーブン運転制御部４の通信処理部４ｃ（図７参照）と足元暖房機Ｗの運転を制御する暖房用運転制御手段としての暖房用運転制御部１４の通信処理部１４ｃ（図７参照）との間で情報を通信するためのコネクタ１１ｃ付きの情報通信用ケーブル１１を設けてある。
【００１８】
足元暖房機Ｗについて、説明を加える。
図１ないし図４に示すように、足元暖房機Ｗは、前面に前記温風送風口１３を開口し且つ上面に吸気口２２を開口したケーシング１２を用いて一体的に組み付けて構成してあり、ケーシング１２の前面には、足元暖房機Ｗの運転開始及び停止を足元暖房機Ｗの暖房用運転制御部１４に指令する暖房機側運転スイッチ１５、及び、足元暖房機Ｗが運転状態か停止状態かを表示する暖房機側運転ランプ１６を設けてある。
図３及び図６に示すように、足元暖房機Ｗには、更に、運転用の電力を供給する電源コード１７、及び、暖房用運転制御部１４の通信処理部１４ｃ（図７参照）とオーブン運転制御部４の通信処理部４ｃ（図７参照）との間で情報を通信するためのコネクタ１８ｃ付きの情報通信用ケーブル１８を設けてある。
【００１９】
図６に示すように、前記ケーシング１２の内部には、熱源機（図示省略）から熱媒循環路１９を通じて熱媒が循環供給される熱交換器２０、熱媒循環路１９に設けられて熱交換器２０への熱媒の供給を断続する熱動弁２１、前記吸気口２２から吸気した空気を熱交換器２０を通過させて前記温風送風口１３から吹き出すように通風作用する送風機２３、及び、前記暖房用運転制御部１４を設けてある。
【００２０】
次に、上述のように構成した足元暖房機Ｗを設置する方法について説明する。
図４に示すように、閉じ板３ｔを取り外した蹴込み扉３をフレーム２から取り外すか、あるいは、下方に揺動させて開き状態に位置させることにより、蹴込みＫｋを開き、そして、その開き部分を通じて、足元暖房機ＷをビルトインオーブンＯ内に挿通して、暖房機支持枠部Ｆに載置し、両側の前後向き支持部６にビス６ｂを螺挿して、ビス６ｂを足元暖房機Ｗの両側に押し付けて足元暖房機Ｗを固定する。
続いて、図３に示すように、足元暖房機Ｗの電源コード１７を床面に設けたコンセントＳに接続して運転用の電力を供給する。
又、足元暖房機Ｗの情報通信用ケーブル１８のコネクタ１８ｃを、ビルトインオーブンＯの情報通信用ケーブル１１のコネクタ１１ｃに接続すると、足元暖房機Ｗの暖房用運転制御部１４を、ビルトインオーブンＯのオーブン運転制御部４と情報通信可能な状態に接続されることになる。
続いて、蹴込み扉３を閉じ状態に保持して蹴込みＫｋを閉じると、蹴込み扉３の温風送風用開口３ｏ内に温風送風口１３、暖房機側運転スイッチ１５及び暖房機側運転ランプ１６が位置することになって、つまり、温風送風用開口３ｏが温風送風口１３に連通する状態となって、足元暖房機Ｗが適正に設置されることになる。
【００２１】
次に、図７に基づいて、オーブン運転制御部４及び暖房用運転制御部１４について説明を加える。
オーブン運転制御部４と暖房用運転制御部１４とは、情報通信用ケーブル１１及び情報通信用ケーブル１８により互いに情報通信可能な状態に接続してある。
【００２２】
オーブン運転制御部４は、オーブン運転スイッチ５ａ、調理時間設定スイッチ５ｃ及び調理温度設定スイッチ５ｄ夫々の指令情報、並びに、加熱調理温度を検出する温度センサ２７の検出情報が入力され、それらの入力情報に基づいて、ガスバーナに燃焼用空気を供給する送風機２４、ガスバーナへのガス供給を断続する電磁弁２５、ガスバーナへのガス供給量を調節するガス比例弁２８、ガスバーナを着火させる点火プラグ２６、オーブン運転ランプ５ｂ及び表示部５ｅ夫々の作動を制御するように構成してある。
【００２３】
又、オーブン運転制御部４は、暖房機用外部運転スイッチ７により運転開始が指令されると、暖房用運転制御部１４に対して運転開始を指令する共に、足元暖房機Ｗが運転状態であることを表示させるべく暖房機用外部運転ランプ８を点灯させ、暖房機用外部運転スイッチ７により運転停止が指令されると、暖房用運転制御部１４に対して運転停止を指令する共に、足元暖房機Ｗが停止状態であることを表示させるべく暖房機用外部運転ランプ８を消灯させるように構成してある。
又、オーブン運転制御部４は、暖房機側運転スイッチ１５により運転開始が指令されることに伴って、暖房用運転制御部１４から運転開始情報が送信されてくると、足元暖房機Ｗが運転状態であることを表示させるべく暖房機用外部運転ランプ８を点灯させ、暖房機側運転スイッチ１５により運転停止が指令されることに伴って、暖房用運転制御部１４から運転停止情報が送信されてくると、足元暖房機Ｗが停止状態であることを表示させるべく暖房機用外部運転ランプ８を消灯させるように構成してある。
【００２４】
暖房用運転制御部１４は、足元暖房機Ｗの運転停止中にオーブン運転制御部４から運転開始が指令されると、熱動弁２１を開弁し、送風機２３を作動させて、足元暖房機Ｗの運転を開始すると共に、足元暖房機Ｗが運転状態であることを表示させるべく暖房機側運転ランプ１６を点灯させ、足元暖房機Ｗの運転中にオーブン運転制御部４から運転停止が指令されると、熱動弁２１を閉弁し、送風機２３を停止させて、足元暖房機Ｗの運転を停止すると共に、足元暖房機Ｗが停止状態であることを表示させるべく暖房機側運転ランプ１６を消灯させるように構成してある。
又、暖房用運転制御部１４は、足元暖房機Ｗの運転停止中に暖房機側運転スイッチ１５から運転開始が指令されると、上述のようにして足元暖房機Ｗの運転を開始し、且つ、暖房機側運転ランプ１６を点灯させ、且つ、オーブン運転制御部４に運転開始情報を送信し、足元暖房機Ｗの運転中に暖房機側運転スイッチ１５から運転停止が指令されると、上述のようにして足元暖房機Ｗの運転を停止し、且つ、暖房機側運転ランプ１６を消灯させ、且つ、オーブン運転制御部４に運転停止情報を送信するように構成してある。
【００２５】
次に、図８ないし図１０のフローチャートに基づいて、オーブン運転制御部４及び暖房用運転制御部１４の制御動作について説明する。
暖房用運転制御部１４は、足元暖房機Ｗの運転を制御する足元暖房機運転制御の足元暖房機側制御を実行し、オーブン運転制御部４は、図８に示すように、ビルトインオーブンＯの運転を制御するオーブン運転制御と前記足元暖房機運転制御のオーブン側制御とを実行する。
【００２６】
先ず、オーブン運転制御部４のオーブン運転制御における制御動作を説明するが、そのオーブン運転制御は周知であるので、フローチャートの図示は省略して、以下、簡単に説明する。
オーブン運転スイッチ５ａにて運転開始が指令されると、送風機２４を作動させ、電磁弁２５を開弁し、点火プラグ２６を作動させる点火制御を実行して、ガスバーナを燃焼させて、ビルトインオーブンＯの運転を開始すると共に、オーブン運転ランプ５ｂを点灯させ、オーブン運転スイッチ５ａにて運転停止が指令されるか、調理時間設定スイッチ５ｃにて設定された調理時間が経過すると、電磁弁２５を閉弁し、送風機２４を停止させる消火制御を実行して、ガスバーナを消火させて、ビルトインオーブンＯの運転を停止すると共に、オーブン運転ランプ５ｂを消灯させる。
又、運転中は、加熱調理温度を検出する温度センサ２７の検出温度が、調理温度設定スイッチ５ｄにて設定された調理温度になるように、ガス比例弁２８を調節して、ガスバーナの燃焼量を調節する。
【００２７】
次に、図９に基づいて、オーブン運転制御部４における足元暖房機運転制御のオーブン側制御の制御動作について説明する。
先ず、足元暖房機Ｗが運転中か否かを判別し、運転中で無いときは、暖房機用外部運転スイッチ７により運転開始が指令されるか、又は、暖房用運転制御部１４から運転開始情報が送信されるかを判別して、暖房機用外部運転スイッチ７により運転開始が指令されると、暖房用運転制御部１４に対して運転開始を指令する共に、暖房機用外部運転ランプ８を点灯させ、暖房用運転制御部１４から運転開始情報が送信されると、暖房機用外部運転ランプ８を点灯させる（ステップ＃１〜＃５）。
足元暖房機Ｗが運転中のときは、暖房機用外部運転スイッチ７により運転停止が指令されるか、又は、暖房用運転制御部１４から運転停止情報が送信されるかを判別して、暖房機用外部運転スイッチ７により運転停止が指令されると、暖房用運転制御部１４に対して運転停止を指令する共に、暖房機用外部運転ランプ８を消灯させ、暖房用運転制御部１４から運転停止情報が送信されると、暖房機用外部運転ランプ８を消灯させる（ステップ＃１、＃６〜＃９）
【００２８】
尚、オーブン運転制御部４は、暖房用運転制御部１４に対する指令状態、即ち、運転開始を指令したか運転停止を指令したかに基づいて、あるいは、暖房用運転制御部１４から運転開始情報が送信されるか運転停止情報が送信されるかに基づいて、足元暖房機Ｗが運転中か否かを判別する。
【００２９】
次に、図１０に基づいて、暖房用運転制御部１４における足元暖房機運転制御の足元暖房機側制御の制御動作について説明する。
先ず、足元暖房機Ｗが運転中か否かを判別し、運転中で無いときは、暖房機側運転スイッチ１５から運転開始が指令されるか、オーブン運転制御部４から運転開始が指令されるかを判別し、暖房機側運転スイッチ１５から運転開始が指令されると、オーブン運転制御部４に対して運転開始情報を送信して、暖房機側運転ランプ１６を点灯させると共に、熱動弁２１を開弁し且つ送風機２３を作動させる運転開始制御を実行して、足元暖房機Ｗの運転を開始し、次いで、タイマーをスタートし、オーブン運転制御部４から運転開始が指令されると、暖房機側運転ランプ１６を点灯させると共に、前記運転開始制御を実行して、足元暖房機Ｗの運転を開始し、次いで、タイマーをスタートする（ステップ＃１１〜＃１７）
【００３０】
足元暖房機Ｗが運転中のときは、タイマーがアップするか、オーブン運転制御部４から運転停止が指令されるか、又は、暖房機側運転スイッチ１５から運転停止が指令されるかを判別し、タイマーがアップするか、又は、オーブン運転制御部４から運転停止が指令されると、タイマーをリセットし、暖房機側運転ランプ１６を消灯させ、次いで、熱動弁２１を閉弁し且つ送風機２３を停止させる運転停止制御を実行して足元暖房機Ｗの運転を停止し、暖房機側運転スイッチ１５から運転停止が指令されると、オーブン運転制御部４に対して運転停止情報を送信し、次いで、タイマーをリセットし、暖房機側運転ランプ１６を消灯させ、前記運転停止制御を実行して足元暖房機Ｗの運転を停止する（ステップ＃１１、＃１８〜＃２４）。
【００３１】
タイマーの設定時間は、予め、例えば２時間程度に設定して暖房用運転制御部１４に記憶させてある。
つまり、足元暖房機Ｗを停止させる操作をし忘れても、足元暖房機Ｗの運転開始後、設定時間が経過してタイマーがアップすると、足元暖房機Ｗが自動的に停止されることになる。
【００３２】
〔第２実施形態〕
以下、図面に基づいて、本発明の第２実施形態を説明する。
第２実施形態においては、足元暖房機能付加式の厨房設備は、図１に示す第１実施形態と同様に、厨房箇所に設置される厨房用設置体としてのシステムキッチンＫのカウンタＫｔの下方に同じく厨房用設置体としてのビルトインオーブンＯを設置し、カウンタＫｔに形成されたコンロ装着口を通して厨房機器としてのビルトイン型のガスコンロＣを上方側から差し込んでビルトインオーブンＯの上方に装備し、更に、ビルトインオーブンＯの蹴込み内方側に、蹴込みＫｋの外部に温風を送風する足元暖房機Ｗを設置して構成してあるが、ビルトインオーブンＯに装備した厨房機器としてのオーブン本体部１には、第１実施形態におけるガスバーナに代えて、電気ヒータ３１（図１３参照）を設け、その電気ヒータ３１を用いて被加熱物を加熱するように構成し、足元暖房機Ｗは、第１実施形態における熱交換器２０に代えて電気ヒータ３２（図１２及び図１３参照）を設けてある。
【００３３】
足元暖房機Ｗの設置構成は、図２及び図４にて示す第１実施形態における設置構成と同様である。
【００３４】
図１１に示すように、ビルトインオーブンＯには、給電用コンセントＳに接続した電源コード９にて商用電源から供給される電力を分電する分電手段としての分電用コンセント１０を設けてある。そして、足元暖房機Ｗの電源コード１７を分電用コンセント１０に接続すると、ビルトインオーブンＯに商用電源から供給される電力を分電して、足元暖房機Ｗを運転する電力として供給することが可能となる。
又、第１実施形態と同様に、足元暖房機Ｗの情報通信用ケーブル１８のコネクタ１８ｃを、ビルトインオーブンＯの情報通信用ケーブル１１のコネクタ１１ｃに接続することにより、足元暖房機Ｗの暖房用運転制御部１４を、ビルトインオーブンＯのオーブン運転制御部４と情報通信可能な状態に接続されるように構成してある。
又、図２及び図５に示す第１実施形態と同様に、オーブン操作盤５には、足元暖房機Ｗの運転開始及び停止をオーブン運転制御部４に指令する暖房機用指令手段としての暖房機用外部運転スイッチ７、及び、足元暖房機Ｗが運転状態か停止状態かを表示する暖房機用運転状態表示手段としての暖房機用外部運転ランプ８を設けてある。
【００３５】
図１２に基づいて、足元暖房機Ｗについて説明を加えると、上述のように第１実施形態における熱交換器２０に代えて、電気ヒータ３２を設け、送風機２３は、ケーシング１２の上面に開口した吸気口２２から吸気した空気を電気ヒータ３２を通過させてケーシング１２の前面に開口した温風送風口１３から吹き出すように設けてある。
【００３６】
図１３に基づいて、オーブン運転制御部４及び暖房用運転制御部１４について説明を加える。
オーブン運転制御部４と暖房用運転制御部１４とは、情報通信用ケーブル１１及び情報通信用ケーブル１８により互いに情報通信可能な状態に接続してある。
【００３７】
オーブン運転制御部４は、オーブン運転スイッチ５ａ、調理時間設定スイッチ５ｃ及び調理温度設定スイッチ５ｄ夫々の指令情報、並びに、加熱調理温度を検出する温度センサ２７の検出情報が入力され、それらの入力情報に基づいて、電気ヒータ３１に対する通電を制御するように構成してある。
【００３８】
又、オーブン運転制御部４は、暖房機用外部運転スイッチ７により運転開始が指令されるか、又は、暖房機側運転スイッチ１５により運転開始が指令されることに伴って暖房用運転制御部１４から運転開始情報が送信されてくると、ビルトインオーブンＯが運転中か否かを判別して、運転中で無いときは、暖房用運転制御部１４に対して運転開始を指令すると共に、足元暖房機Ｗが運転状態であることを表示させるべく暖房機用外部運転ランプ８を点灯させ、運転中のときは、暖房用運転制御部１４に対して運転停止を指令するように構成してある。
又、オーブン運転制御部４は、足元暖房機Ｗの運転中は、ビルトインオーブンＯが運転されるか否かを判別して、ビルトインオーブンＯが運転されると、暖房用運転制御部１４に対して運転停止を指令するように構成してある。
【００３９】
又、オーブン運転制御部４は、暖房機用外部運転スイッチ７により運転停止が指令されたときは、暖房用運転制御部１４に対して運転停止を指令する共に、足元暖房機Ｗが停止状態であることを表示させるべく暖房機用外部運転ランプ８を消灯させるように構成してあり、又、暖房機側運転スイッチ１５により運転停止が指令されることに伴って暖房用運転制御部１４から運転停止情報が送信されてきたときは、足元暖房機Ｗが停止状態であることを表示させるべく暖房機用外部運転ランプ８を消灯させるように構成してある。
【００４０】
暖房用運転制御部１４は、足元暖房機Ｗの運転停止中にオーブン運転制御部４から運転開始が指令されると、電気ヒータ３２に通電し且つ送風機２３を作動させて、足元暖房機Ｗの運転を開始すると共に、足元暖房機Ｗが運転状態であることを表示させるべく暖房機側運転ランプ１６を点灯させ、足元暖房機Ｗの運転中にオーブン運転制御部４から運転停止が指令されると、電気ヒータ３２への通電を停止し且つ送風機２３を停止させて、足元暖房機Ｗの運転を停止するように構成してある。
又、暖房用運転制御部１４は、足元暖房機Ｗの運転停止中に暖房機側運転スイッチ１５から運転開始が指令されると、オーブン運転制御部４に運転開始情報を送信し、オーブン運転制御部４から運転開始が指令されたときだけ、足元暖房機Ｗの運転を開始すると共に、足元暖房機Ｗが運転状態であることを表示させるべく暖房機側運転ランプ１６を点灯させるように構成してある。
【００４１】
従って、ビルトインオーブンＯの運転中に、暖房機用外部運転スイッチ７や暖房機側運転スイッチ１５により運転開始が指令されても、オーブン運転制御部４から暖房用運転制御部１４へ運転停止が指令されるので、暖房用運転制御部１４は足元暖房機Ｗの運転を開始させることが無く、又、足元暖房機Ｗの運転中にビルトインオーブンＯが運転されると、オーブン運転制御部４から暖房用運転制御部１４へ運転停止が指令されて、足元暖房機Ｗが停止されるので、ビルトインオーブンＯの運転中においては足元暖房機Ｗが自動停止されることになる。
つまり、オーブン運転制御部４と暖房用運転制御部１４とにより、厨房機器の運転状態においては足元暖房機Ｗの運転を自動停止する自動停止手段Ａを構成してある。
【００４２】
次に、図１４及び図１５のフローチャートに基づいて、オーブン運転制御部４及び暖房用運転制御部１４の制御動作について説明する。
暖房用運転制御部１４は、足元暖房機運転制御の足元暖房機側制御を実行し、オーブン運転制御部４は、オーブン運転制御と足元暖房機運転制御のオーブン側制御とを実行する。
【００４３】
先ず、オーブン運転制御部４のオーブン運転制御における制御動作を説明するが、そのオーブン運転制御は周知であるので、フローチャートの図示は省略して、以下、簡単に説明する。
オーブン運転スイッチ５ａにて運転開始が指令されると、電気ヒータ３２に通電して、ビルトインオーブンＯの運転を開始すると共に、オーブン運転ランプ５ｂを点灯させ、オーブン運転スイッチ５ａにて運転停止が指令されるか、調理時間設定スイッチ５ｃにて設定された調理時間が経過すると、電気ヒータ３２への通電を停止して、ビルトインオーブンＯの運転を停止すると共に、オーブン運転ランプ５ｂを消灯させる。
又、運転中は、加熱調理温度を検出する温度センサ２７の検出温度が、調理温度設定スイッチ５ｄにて設定された調理温度になるように、電気ヒータ３２への通電量を調節する。
【００４４】
次に、図１４に基づいて、オーブン運転制御部４における足元暖房機運転制御のオーブン側制御の制御動作について説明する。
先ず、足元暖房機Ｗが運転中か否かを判別し、運転中で無いときは、暖房機用外部運転スイッチ７により運転開始が指令されるか、又は、暖房用運転制御部１４から運転開始情報が送信されると、ビルトインオーブンＯが運転中か否かを判別し、運転中で無いときは、暖房用運転制御部１４に対して運転開始を指令する共に、暖房機用外部運転ランプ８を点灯させ、運転中のときは、暖房用運転制御部１４に対してオーブン運転時運転停止指令を指令すると共に、暖房機用外部運転ランプ８を点滅させる（ステップ＃３１〜＃３８）。
【００４５】
足元暖房機Ｗが運転中のときは、ビルトインオーブンＯが運転中か、暖房用運転制御部１４から運転停止情報が送信されるか、又は、暖房機用外部運転スイッチ７により運転停止が指令されるかを判別して、ビルトインオーブンＯが運転中のときは、暖房用運転制御部１４に対してオーブン運転時運転停止指令を指令すると共に、暖房機用外部運転ランプ８を点滅させ、暖房用運転制御部１４から運転停止情報が送信されると、暖房機用外部運転ランプ８を消灯させ、暖房機用外部運転スイッチ７により運転停止が指令されると、暖房用運転制御部１４に対して運転停止を指令する共に、暖房機用外部運転ランプ８を消灯させる（ステップ＃３１、＃３７、＃３８、＃３９〜＃４３）
【００４６】
尚、オーブン運転制御部４は、暖房用運転制御部１４に対する指令状態、即ち、運転開始を指令したか、運転停止を指令したか又はオーブン運転時運転停止を指令したかに基づいて、足元暖房機Ｗが運転中か否かを判別する。
【００４７】
次に、図１５に基づいて、暖房用運転制御部１４における足元暖房機運転制御の足元暖房機側制御の制御動作について説明する。
先ず、足元暖房機Ｗが運転中か否かを判別し、運転中で無いときは、暖房機側運転スイッチ１５から運転開始が指令されるか否かを判別し、暖房機側運転スイッチ１５から運転開始が指令された場合は、オーブン運転制御部４に対して運転開始情報を送信して、オーブン運転制御部４からオーブン運転時運転停止指令が指令されるか、又は、運転開始が指令されるかを判別し、オーブン運転時運転停止指令が指令されると、暖房機側運転ランプ１６を点滅させ、運転開始が指令されると、暖房機側運転ランプ１６を点灯させると共に、電気ヒータ３２に通電し且つ送風機２３を作動させる運転開始制御を実行して、足元暖房機Ｗの運転を開始し、次いで、タイマーをスタートし、暖房機側運転スイッチ１５から運転開始が指令されない場合は、オーブン運転制御部４から運転開始が指令されるかを判別し、運転開始が指令された場合は、暖房機側運転ランプ１６を点灯させると共に、前記運転開始制御を実行して足元暖房機Ｗの運転を開始し、次いで、タイマーをスタートする（ステップ＃５１〜＃５９）
【００４８】
足元暖房機Ｗが運転中のときは、オーブン運転制御部４からオーブン運転時運転停止指令が指令されるか、タイマーがアップするか、オーブン運転制御部４から運転停止が指令されるか、又は、暖房機側運転スイッチ１５から運転停止が指令されるかを判別し、オーブン運転時運転停止指令が指令されると、暖房機側運転ランプ１６を点滅させ、タイマーをリセットし、次いで、電気ヒータ３２への通電を停止し且つ送風機２３を停止させる運転停止制御を実行して足元暖房機Ｗの運転を停止し、タイマーがアップするか、又は、オーブン運転制御部４から運転停止が指令されると、暖房機側運転ランプ１６を消灯させ、タイマーをリセットし、前記運転停止制御を実行して足元暖房機Ｗの運転を停止し、暖房機側運転スイッチ１５から運転停止が指令されると、オーブン運転制御部４に対して運転停止情報を送信し、次いで、暖房機側運転ランプ１６を消灯させ、タイマーをリセットし、前記運転停止制御を実行して足元暖房機Ｗの運転を停止する（ステップ＃５１、＃６０〜＃６９）。
【００４９】
〔第３実施形態〕
以下、図面に基づいて、本発明の第３実施形態を説明する。
図１６に示すように、第３実施形態においては、足元暖房機能付加式の厨房設備は、厨房箇所に設置される厨房用設置体としてのシステムキッチンＫのカウンタＫｔの下方に同じく厨房用設置体としてのビルトインオーブンＯを設置し、カウンタＫｔに形成されたコンロ装着口を通して厨房機器としてのビルトイン型のクッキングヒータＨを上方側から差し込んでビルトインオーブンＯの上方に装備し、更に、ビルトインオーブンＯの蹴込み内方側に、蹴込みＫｋの外部に温風を送風する足元暖房機Ｗを設置して構成してある。
ビルトインオーブンＯは、第２実施形態と同様の構成であり、電気ヒータ３１を用いて、被加熱物を加熱するように構成してある、
足元暖房機Ｗは、図１２に示す第２実施形態と同様の構成であり、第１実施形態における熱交換器２０に代えて、電気ヒータ３２を設けてある。
足元暖房機Ｗの設置構成は、図２及び図４にて示す第１実施形態における設置構成と同様である。
【００５０】
クッキングヒータＨについて説明を加えると、図１６及び図１７に示すように、被加熱物を誘導加熱にて加熱する３個の誘導加熱部（所謂ＩＨヒータ）４１、被加熱部を加熱するグリル用電気ヒータ４２（図１８参照）を備えたグリル部４３と、それら誘導加熱部４１及びグリル用電気ヒータ４２の作動を制御するヒータ運転制御部４４（厨房用運転制御手段に相当する）と、そのヒータ運転制御部４４に各種の制御情報を指令するヒータ操作盤４５（厨房機器用操作部に相当する）とを主な構成要素として備えて構成してある。
【００５１】
図１９に示すように、ヒータ操作盤４５には、各誘導加熱部４１夫々に対応して設けられて誘導加熱部４１の加熱作動の開始と停止とを指令する３個のヒータスイッチ４５ａ、各誘導加熱部４１夫々に対応して設けられて、加熱作動状態か停止状態かを表示する３個のヒータ運転ランプ４５ｂ、グリル用電気ヒータ４２の加熱作動の開始と停止とを指令するグリルスイッチ４５ｃ、グリル用電気ヒータ４２が加熱作動状態か停止状態かを表示するグリル運転ランプ４５ｄを設けてあり、更に、ヒータ操作盤４５には、前記足元暖房機Ｗの運転開始及び停止をヒータ運転制御部４４に指令する暖房機用指令手段としての暖房機用外部運転スイッチ７、及び、足元暖房機Ｗが運転状態か停止状態かを表示する暖房機用運転状態表示手段としての暖房機用外部運転ランプ８を設けてある。
【００５２】
又、図１７に示すように、クッキングヒータＨには、商用電源からの電力を給電する給電用コンセントＳに接続して、運転用の電力を受電する電源コード４６及び、ヒータ運転制御部４４の通信処理部４４ｃ（図１８参照）と足元暖房機Ｗの運転を制御する暖房用運転制御手段としての暖房用運転制御部１４の通信処理部１４ｃ（図１８参照）との間で情報を通信するためのコネクタ４８ｃ付きの情報通信用ケーブル４８を設けてある。
そして、足元暖房機Ｗの情報通信用ケーブル１８のコネクタ１８ｃを、クッキングヒータＨの情報通信用ケーブル４８のコネクタ４８ｃに接続することにより、足元暖房機Ｗの暖房用運転制御部１４を、クッキングヒータＨのヒータ運転制御部４４と情報通信可能な状態に接続されるように構成してある。
第１実施形態と同様に、足元暖房機Ｗの電源コード１７を床面に設けたコンセントＳに接続して、足元暖房機Ｗに運転用の電力を供給する。
【００５３】
図１８に基づいて、ヒータ運転制御部４４及び暖房用運転制御部１４について説明を加える。
ヒータ運転制御部４４と暖房用運転制御部１４とは、情報通信用ケーブル４８及び情報通信用ケーブル１８により互いに情報通信可能な状態に接続してある。
【００５４】
ヒータ運転制御部４４は、３個のヒータスイッチ４５ａ及びグリルスイッチ４５ｃ夫々の指令情報に基づいて、３個の誘導加熱部４１及びグリル用電気ヒータ４２夫々への通電を制御するように構成してある。
つまり、クッキングヒータＨの運転状態としては、３個の誘導加熱部４１及びグリル用電気ヒータ４２の全てが加熱作動する運転状態、３個の誘導加熱部４１及びグリル用電気ヒータ４２のうちのいずれか３個が加熱作動する運転状態、いずれか２個が加熱作動する運転状態又はいずれか１個が加熱作動する運転状態が現出することになる。
【００５５】
又、ヒータ運転制御部４４は、暖房機用外部運転スイッチ７により運転開始が指令されると、暖房用運転制御部１４に対して運転開始を指令する共に、足元暖房機Ｗが運転状態であることを表示させるべく暖房機用外部運転ランプ８を点灯させ、暖房機用外部運転スイッチ７により運転停止が指令されると、暖房用運転制御部１４に対して運転停止を指令する共に、足元暖房機Ｗが停止状態であることを表示させるべく暖房機用外部運転ランプ８を消灯させるように構成してある。
【００５６】
又、ヒータ運転制御部４４は、暖房機側運転スイッチ１５により運転開始が指令されることに伴って、暖房用運転制御部１４から運転開始情報が送信されてくると、足元暖房機Ｗが運転状態であることを表示させるべく暖房機用外部運転ランプ８を点灯させ、暖房機側運転スイッチ１５により運転停止が指令されることに伴って、暖房用運転制御部１４から運転停止情報が送信されてくると、足元暖房機Ｗが停止状態であることを表示させるべく暖房機用外部運転ランプ８を消灯させるように構成してある。
【００５７】
暖房用運転制御部１４は、足元暖房機Ｗの運転停止中にヒータ運転制御部４４から運転開始が指令されると、電気ヒータ３２に通電し且つ送風機２３を作動させて、足元暖房機Ｗの運転を開始すると共に、足元暖房機Ｗが運転状態であることを表示させるべく暖房機側運転ランプ１６を点灯させ、足元暖房機Ｗの運転中にヒータ運転制御部４４から運転停止が指令されると、電気ヒータ３２への通電を停止し且つ送風機２３を停止させて、足元暖房機Ｗの運転を停止すると共に、足元暖房機Ｗが停止状態であることを表示させるべく暖房機側運転ランプ１６を消灯させるように構成してある。
又、暖房用運転制御部１４は、足元暖房機Ｗの運転停止中に暖房機側運転スイッチ１５から運転開始が指令されると、上述のようにして足元暖房機Ｗの運転を開始し、且つ、暖房機側運転ランプ１６を点灯させ、且つ、ヒータ運転制御部４４に運転開始情報を送信し、足元暖房機Ｗの運転中に暖房機側運転スイッチ１５から運転停止が指令されると、上述のようにして足元暖房機Ｗの運転を停止し、且つ、暖房機側運転ランプ１６を消灯させ、且つ、ヒータ運転制御部４４に運転停止情報を送信するように構成してある。
【００５８】
次に、ヒータ運転制御部４４及び暖房用運転制御部１４の制御動作について説明する。
暖房用運転制御部１４は、足元暖房機運転制御の足元暖房機側制御を実行し、ヒータ運転制御部４４は、ヒータ運転制御と足元暖房機運転制御のヒータ側制御とを実行する。
【００５９】
先ず、ヒータ運転制御部４４のヒータ運転制御における制御動作を説明するが、そのヒータ運転制御は周知であるので、フローチャートの図示は省略して、以下、簡単に説明する。
ヒータスイッチ４５ａにて加熱作動の開始が指令されると、そのヒータスイッチ４５ａに対応する誘導加熱部４１に通電すると共に、そのヒータスイッチ４５ａに対応するヒータ運転ランプ４５ｂを点灯させ、ヒータスイッチ４５ａにて加熱作動の停止が指令されると、そのヒータスイッチ４５ａに対応する誘導加熱部４１への通電を停止すると共に、そのヒータスイッチ４５ａに対応するヒータ運転ランプ４５ｂを消灯させる。
又、グリルスイッチ４５ｃにて、加熱作動の開始が指令されると、グリル用電気ヒータ４２に通電すると共に、グリル運転ランプ４５ｄを点灯させ、グリルスイッチ４５ｃにて加熱作動の停止が指令されると、グリル用電気ヒータ４２への通電を停止すると共に、グリル運転ランプ４５ｄを消灯させる。
【００６０】
ヒータ運転制御部４４における足元暖房機運転制御のヒータ側制御の制御動作は、第１実施形態において図９に示すフローチャートを用いて説明したオーブン運転制御部４における足元暖房機運転制御のヒータ側制御の制御動作と同様であるので、説明を省略する。
又、暖房用運転制御部１４における足元暖房機運転制御の足元暖房機側制御の制御動作は、第１実施形態において図１０に示すフローチャートを用いて説明した足元暖房機側制御の制御動作と同様であるので、説明を省略する。
【００６１】
〔第４実施形態〕
以下、図面に基づいて、本発明の第４実施形態を説明する。
図２０に示すように、第４実施形態においては、上記の第３実施形態に構成に加えて、クッキングヒータＨに、給電用コンセントＳに接続した電源コード４６にて商用電源から供給される電力を分電する分電手段としての分電用コンセント４７を設けてある。
そして、足元暖房機Ｗの電源コード１７を分電用コンセント４７に接続すると、クッキングヒータＨに商用電源から供給される電力を分電して、足元暖房機Ｗを運転する電力として供給することが可能となる。
【００６２】
図２１に基づいて、ヒータ運転制御部４４及び暖房用運転制御部１４について説明を加える。
ヒータ運転制御部４４と暖房用運転制御部１４とは、情報通信用ケーブル４８及び情報通信用ケーブル１８により互いに情報通信可能な状態に接続してある。
【００６３】
ヒータ運転制御部４４は、３個のヒータスイッチ４５ａ及びグリルスイッチ４５ｃ夫々の指令情報に基づいて、３個の誘導加熱部４１及びグリル用電気ヒータ４２夫々への通電を制御するように構成してある。
つまり、クッキングヒータＨの運転状態としては、３個の誘導加熱部４１及びグリル用電気ヒータ４２の全てが加熱作動する運転状態、３個の誘導加熱部４１及びグリル用電気ヒータ４２のうちのいずれか３個が加熱作動する運転状態、いずれか２個が加熱作動する運転状態又はいずれか１個が加熱作動する運転状態が現出することになる。
【００６４】
又、ヒータ運転制御部４４は、暖房機用外部運転スイッチ７により運転開始が指令されるか、又は、暖房機側運転スイッチ１５により運転開始が指令されることに伴って暖房用運転制御部１４から運転開始情報が送信されてくると、クッキングヒータＨの運転状態に基づいて、足元暖房機Ｗを運転するには電力が不足する電力不足状態か否かを判別し、電力不足状態で無いときは、暖房用運転制御部１４に対して運転開始を指令すると共に、足元暖房機Ｗが運転状態であることを表示させるべく暖房機用外部運転ランプ８を点灯させ、電力不足状態のときは、暖房用運転制御部１４に対して運転停止を指令するように構成してある。ちなみに、例えば、３個の誘導加熱部４１及びグリル用電気ヒータ４２のうち加熱作動しているものが３個以上のときは、電力不足状態であると判別するように構成することができる。
【００６５】
又、ヒータ運転制御部４４は、足元暖房機Ｗの運転中は、クッキングヒータＨの運転状態に基づいて電力不足状態か否かを判別し、電力不足状態になると、暖房用運転制御部１４に対して運転停止を指令するように構成してある。
【００６６】
又、ヒータ運転制御部４４は、暖房機用外部運転スイッチ７により運転停止が指令されたときは、暖房用運転制御部１４に対して運転停止を指令する共に、足元暖房機Ｗが停止状態であることを表示させるべく暖房機用外部運転ランプ８を消灯させるように構成してあり、又、暖房機側運転スイッチ１５により運転停止が指令されることに伴って暖房用運転制御部１４から運転停止情報が送信されてきたときは、足元暖房機Ｗが停止状態であることを表示させるべく暖房機用外部運転ランプ８を消灯させるように構成してある。
【００６７】
暖房用運転制御部１４は、足元暖房機Ｗの運転停止中にヒータ運転制御部４４から運転開始が指令されると、電気ヒータ３２に通電し且つ送風機２３を作動させて、足元暖房機Ｗの運転を開始すると共に、足元暖房機Ｗが運転状態であることを表示させるべく暖房機側運転ランプ１６を点灯させ、足元暖房機Ｗの運転中にヒータ運転制御部４４から運転停止が指令されると、電気ヒータ３２への通電を停止し且つ送風機２３を停止させて、足元暖房機Ｗの運転を停止するように構成してある。
又、暖房用運転制御部１４は、足元暖房機Ｗの運転停止中に暖房機側運転スイッチ１５から運転開始が指令されると、ヒータ運転制御部４４に運転開始情報を送信し、ヒータ運転制御部４４から運転開始が指令されたときだけ、足元暖房機Ｗの運転を開始すると共に、足元暖房機Ｗが停止状態であることを表示させるべく暖房機側運転ランプ１６を点灯させるように構成してある。
【００６８】
従って、電力不足状態のときに、暖房機用外部運転スイッチ７や暖房機側運転スイッチ１５により運転開始が指令されても、オーブン運転制御部４から暖房用運転制御部１４へ運転停止が指令されるので、暖房用運転制御部１４は足元暖房機Ｗの運転を開始させることが無く、又、足元暖房機Ｗの運転中に電力不足状態になると、ヒータ運転制御部４４から暖房用運転制御部１４へ運転停止が指令されて、足元暖房機Ｗが停止されるので、電力不足状態になると足元暖房機Ｗが自動停止されることになる。
つまり、ヒータ運転制御部４４と暖房用運転制御部１４とにより、厨房機器の消費電力の増加により電力が不足する電力不足状態になると足元暖房機Ｗの運転を自動停止する自動停止手段Ａを構成してある。
【００６９】
次に、図２２のフローチャートに基づいて、ヒータ運転制御部４４及び暖房用運転制御部１４の制御動作について説明する。
暖房用運転制御部１４は、足元暖房機運転制御の足元暖房機側制御を実行し、ヒータ運転制御部４４は、ヒータ運転制御と足元暖房機運転制御のヒータ側制御とを実行する。
【００７０】
ヒータ運転制御部４４のヒータ運転制御における制御動作は、上記の第３実施形態と同様であるので説明を省略する。
【００７１】
次に、図２２に基づいて、ヒータ運転制御部４４における足元暖房機運転制御のヒータ側制御の制御動作について説明する。
先ず、足元暖房機Ｗが運転中か否かを判別し、運転中で無いときは、暖房機用外部運転スイッチ７により運転開始が指令されるか、又は、暖房用運転制御部１４から運転開始情報が送信されると、電力不足状態か否かを判別し、電力不足状態で無いときは、暖房用運転制御部１４に対して運転開始を指令する共に、暖房機用外部運転ランプ８を点灯させ、電力不足状態のときは、暖房用運転制御部１４に対して電力不足時運転停止指令を指令すると共に、暖房機用外部運転ランプ８を点滅させる（ステップ＃７１〜＃７８）。
【００７２】
足元暖房機Ｗが運転中のときは、電力不足状態か、暖房用運転制御部１４から運転停止情報が送信されるか、又は、暖房機用外部運転スイッチ７により運転停止が指令されるかを判別して、電力不足状態のときは、暖房用運転制御部１４に対して電力不足時運転停止指令を指令すると共に、暖房機用外部運転ランプ８を点滅させ、暖房用運転制御部１４から運転停止情報が送信されると、暖房機用外部運転ランプ８を消灯させ、暖房機用外部運転スイッチ７により運転停止が指令されると、暖房用運転制御部１４に対して運転停止を指令する共に、暖房機用外部運転ランプ８を消灯させる（ステップ＃７１、＃７７、＃７８、＃７９〜＃８３）
【００７３】
尚、ヒータ運転制御部４４は、暖房用運転制御部１４に対する指令状態、即ち、運転開始を指令したか、運転停止を指令したか又はオーブン運転時運転停止を指令したかに基づいて、足元暖房機Ｗが運転中か否かを判別する。
【００７４】
暖房用運転制御部１４における足元暖房機運転制御の足元暖房機側制御の制御動作は、図１５に示すフローチャートにおいて、ステップ＃５４，＃６０において、「オーブン運転時運転開始指令」を「電力不足時運転停止指令」に読み替えると、第２実施形態における足元暖房機側制御の制御動作と同様であるので、説明を省略する。
【００７５】
〔別実施形態〕
次に別実施形態を説明する。
（イ）  上記の各実施形態においては、暖房機用外部運転スイッチ７の指令に基づくオーブン運転制御部４又はヒータ運転制御部４４から暖房用運転制御部１４への運転開始及び停止の指令は、オーブン運転制御部４の通信処理部４ｃ又はヒータ運転制御部４４の通信処理部４４ｃと暖房用運転制御部１４の通信処理部１４ｃとによる通信にて行う場合について例示した。
これに代えて、図２３に第１実施形態の構成の場合にて例示するように、オーブン運転制御部４に、暖房機用外部運転スイッチ７のオンオフに基づいてオンオフさせるリレー等の接点スイッチ５１を設け、暖房用運転制御部１４に、足元暖房機Ｗを運転開始及び停止させるリレー等の接点スイッチ５２を設け、オーブン運転制御部４の接点スイッチ５１のオンオフにより暖房用運転制御部１４側の接点スイッチ５２をオンオフさせることが可能なように、両者をケーブル５３とコネクタ５４にて接続するように構成しても良い。
又、暖房用運転制御部１４に、暖房機側運転スイッチ１５のオンオフによりオンオフさせる接点スイッチ５５を設け、オーブン運転制御部４に、接点スイッチ５６を設け、暖房用運転制御部１４の接点スイッチ５５のオンオフによりオーブン運転制御部４側の接点スイッチ５６をオンオフさせることが可能なように、両者をケーブル５３とコネクタ５４にて接続するように構成しても良い。
【００７６】
（ロ）  上記の第１実施形態において、足元暖房機Ｗの暖房用運転制御部１とビルトインオーブンＯのオーブン運転制御部４とを情報通信可能な状態に接続する構成、及び、暖房機側運転スイッチ１５を省略して、足元暖房機Ｗを、暖房機側運転スイッチ１５からの指令にのみにより、運転開始と停止とに切り換えるように構成しても良い。
【００７７】
（ハ）  上記の第１実施形態において、ビルトインオーブンＯに、給電用コンセントＳに接続した電源コード９にて商用電源から供給される電力を分電する分電用コンセント１０を設けて、足元暖房機Ｗの電源コード１７を分電用コンセント１０に接続して、ビルトインオーブンＯに商用電源から供給される電力を分電して、足元暖房機Ｗを運転する電力として供給するように構成しても良い。
【００７８】
（ニ）  足元暖房機Ｗを設置する蹴込みＫｋは、上記の実施形態において例示したビルトインオーブンＯの蹴込みＫｋに限定されるものではなく、例えば、システムキッチンＫの流し台部分、食器洗浄機、独立した流し台、コンロ設置用台等の蹴込みＫｋでも良でも良い。
【００７９】
（ホ）  厨房機器用操作部に暖房機用外部運転スイッチ７及び暖房機用外部運転ランプ８を設置する厨房機器の具体例としては上記の実施形態において例示したビルトインオーブンＯのオーブン本体部１やクッキングヒータＨに限定されるものではなく、例えば、第１実施形態において説明したビルトイン型のガスコンロＣでも良く、あるいは、食器洗浄機でも良い。
【００８０】
（ヘ）  上記の各実施形態においては、足元暖房機Ｗが運転状態か停止状態かを表示する暖房機用運転状態表示手段として、暖房機用外部運転ランプ８を設けて、その暖房機用外部運転ランプ８を厨房用運転制御手段としてのオーブン運転制御部４又はヒータ運転制御部４４にて作動させるように構成する場合について例示したが、これに変えて、オン状態に操作されると自動的に点灯するランプを内蔵したスイッチを暖房機用指令手段として設け、前記ランプにて暖房機用運転状態表示手段を構成しても良い。
【図面の簡単な説明】
【図１】第１実施形態にかかる足元暖房機能付加式の厨房用設備の斜視図
【図２】第１実施形態にかかる足元暖房機能付加式の厨房用設備の要部の分解斜視図
【図３】第１実施形態にかかる足元暖房機能付加式の厨房用設備の縦断側面図
【図４】第１実施形態にかかる足元暖房機能付加式の厨房用設備の要部の分解斜視図
【図５】第１実施形態にかかる足元暖房機能付加式の厨房用設備のオーブン操作盤の正面図
【図６】第１実施形態にかかる足元暖房機能付加式の厨房用設備の足元暖房機の概略横断平面図
【図７】第１実施形態にかかる足元暖房機能付加式の厨房用設備の制御構成のブロック図
【図８】第１実施形態にかかる足元暖房機能付加式の厨房用設備の制御動作のフローチャートを示す図
【図９】第１実施形態にかかる足元暖房機能付加式の厨房用設備の制御動作のフローチャートを示す図
【図１０】第１実施形態にかかる足元暖房機能付加式の厨房用設備の制御動作のフローチャートを示す図
【図１１】第２実施形態にかかる足元暖房機能付加式の厨房用設備の縦断側面図
【図１２】第２実施形態にかかる足元暖房機能付加式の厨房用設備の足元暖房機の概略横断平面図
【図１３】第２実施形態にかかる足元暖房機能付加式の厨房用設備の制御構成のブロック図
【図１４】第２実施形態にかかる足元暖房機能付加式の厨房用設備の制御動作のフローチャートを示す図
【図１５】第２実施形態にかかる足元暖房機能付加式の厨房用設備の制御動作のフローチャートを示す図
【図１６】第３実施形態にかかる足元暖房機能付加式の厨房用設備の斜視図
【図１７】第３実施形態にかかる足元暖房機能付加式の厨房用設備の縦断側面図
【図１８】第３実施形態にかかる足元暖房機能付加式の厨房用設備の制御構成のブロック図
【図１９】第３実施形態にかかる足元暖房機能付加式の厨房用設備のヒータ操作盤の正面図
【図２０】第４実施形態にかかる足元暖房機能付加式の厨房用設備の縦断側面図
【図２１】第４実施形態にかかる足元暖房機能付加式の厨房用設備の制御構成のブロック図
【図２２】第４実施形態にかかる足元暖房機能付加式の厨房用設備の制御動作のフローチャートを示す図
【図２３】別実施形態にかかる足元暖房機能付加式の厨房用設備の制御構成のブロック図
【符号の説明】
１，Ｈ      厨房機器
２          フレーム
３          蹴込み扉
３ｏ        温風送風用開口
４，４４    厨房用運転制御手段
５，４５    厨房機器用操作部
７          暖房機用指令手段
８          暖房機用運転状態表示手段
１０，４７  分電手段
１４        暖房用運転制御手段
１３        温風送風口
Ａ          自動停止手段
Ｆ          暖房機支持枠
Ｏ          厨房用設置体
Ｋｋ        蹴込み
Ｗ          足元暖房機
【図１】
2004218980.tif 000003
【図２】
2004218980.tif 000004
【図３】
2004218980.tif 000005
【図４】
2004218980.tif 000006
【図５】
2004218980.tif 000007
【図６】
2004218980.tif 000008
【図７】
2004218980.tif 000009
【図８】
2004218980.tif 000010
【図９】
2004218980.tif 000011
【図１０】
2004218980.tif 000012
【図１１】
2004218980.tif 000013
【図１２】
2004218980.tif 000014
【図１３】
2004218980.tif 000015
【図１４】
2004218980.tif 000016
【図１５】
2004218980.tif 000017
【図１６】
2004218980.tif 000018
【図１７】
2004218980.tif 000019
【図１８】
2004218980.tif 000020
【図１９】
2004218980.tif 000021
【図２０】
2004218980.tif 000022
【図２１】
2004218980.tif 000023
【図２２】
2004218980.tif 000024
【図２３】
2004218980.tif 000025